(57)【要約】【課題】鍵の紛失や鍵穴への塵埃などの侵入を効果的に回避できる鍵穴構造を提供する。【解決手段】床下点検口の蓋に設けられる施錠部材と、この施錠部材を鎖錠、解錠するための鍵部材とから構成される。施錠部材は、その内部に内ネジを有し、一端を床下点検口の蓋の蓋板に固着された筒状の筒体と、筒体の内ネジに螺合して筒体内を軸方向へ移動可能な塞ぎネジとから構成される。鍵部材は、その一端の外周面に筒体の内ネジに螺合する外ネジを有する棒状の作動桿と、作動桿の他端に設けられた取っ手とから構成される。施錠部材の塞ぎネジの筒体の開放端側に位置する端面および鍵部材の作動桿の前記一端の端面の一方には、所定の形状に形成された凹状嵌合部が設けられ、他方の端面には、凸状嵌合部と係脱自在に嵌合するように形成された凸状嵌合部が設けられる。【選択図】図３
2015151740.tif 000002
【特許請求の範囲】
【請求項１】
床下点検口の蓋に設けられる施錠部材と、この施錠部材を鎖錠、解錠するための鍵部材とから構成され、施錠部材は、その内部に内ネジを有し、一端を床下点検口の蓋の蓋板に固着された筒状の筒体と、筒体の内ネジに螺合して筒体内を軸方向へ移動可能な塞ぎネジとから構成され、鍵部材は、その一端の外周面に筒体の内ネジに螺合する外ネジを有する棒状の作動桿と、作動桿の他端に設けられた取っ手とから構成され、施錠部材の塞ぎネジの筒体の開放端側に位置する端面および鍵部材の作動桿の前記一端の端面の一方には、所定の形状に形成された凹状嵌合部が設けられ、他方の端面には、凸状嵌合部と係脱自在に嵌合するように形成された凸状嵌合部が設けられる、床下点検口の鍵穴構造
【請求項２】
施錠部材の筒体を床下点検口の蓋に固着するための固定ネジをさらに有する、請求項１に記載の鍵穴構造。
【請求項３】
固定ネジは、筒体との間に蓋の蓋板を挟持して筒体を固着するように、筒体の蓋板固着端側の内部に形成された大径内ネジに螺着される、請求項２に記載の鍵穴構造。
【請求項４】
固定ネジの軸径は塞ぎネジの軸径より大きく、請求項３に記載の鍵穴構造。
【請求項５】
固定ネジの軸径は塞ぎネジの頭の直径よりも大きくなるように形成される、請求項４に記載の鍵穴構造。
【発明の詳細な説明】
【技術分野】
【０００１】
本発明は、床下点検口やマンホールやハンドホールなど（以下、「床下点検口」と総称する。）に関し、特に、床下点検口の蓋に設けられる施錠部材と、それを鎖錠、解錠するための鍵部材とからなる鍵穴構造に関するものである。
【背景技術】
【０００２】
従来の床下点検口の蓋には、蓋を床下点検口に固定するための施錠部材と、蓋を持ち上げるための取っ手とが別個に設けられており、施錠部材の鍵穴に鍵を差し込んで回動することにより、床下点検口の外枠に係合している施錠部材の舌片を回動させて蓋と外枠との連結を解除したのち、取っ手を引き起こして持ち上げ、蓋を取り外すように構成されていた。しかしながら、このような構造では、解錠または鎖錠操作と、取っ手の引き起こし操作の２つの動作を必要とするだけでなく、鍵穴に塵埃や塵土が入り込んで鍵を挿入できなくなったり、床下点検口の歪で舌片を回動できなくなってしまったり、場合によっては、鍵を紛失してしまって鍵穴を操作できないなどの問題を生じていた。
【０００３】
このような鍵穴の目詰まりに対する解決策として、蓋に垂直状態に固定される施錠部材の外筒と、外筒内に配置されかつその先端に係合用の舌片を有する回転軸との間に、洗浄用の水を注入できる空間を設け、施錠部材内の塵埃などを洗い流すことで鎖錠、解錠動作を確保使用しようとするものが提案されている（特許文献１参照）。一方、２つの操作による煩雑さ並びに鍵の紛失に対する解決策として、舌片が取り付けられた回転軸内にバネを配し、蓋持ち上げ用のハンドルの先端を回転軸の上端からバネ力に抗して挿入してハンドルを回転することにより、舌片を外枠から離脱させると共に、ハンドル先端を回転軸と係合させて、そのままハンドルを持ち上げることにより蓋を取り外すようにしたものが提案されている（特許文献２参照）。
【０００４】
しかしながら、前者の場合、床下点検口の歪による舌片の回動不能や鍵の紛失に対応することができず、また、後者の場合、鍵穴への塵埃などの侵入に対して依然として問題が残るものであった。
【先行技術文献】
【特許文献】
【０００５】
【特許文献１】特開２００９−１１４６３２号公報
【特許文献２】特開平６−１０８４８６号公報
【発明の概要】
【発明が解決しようとする課題】
【０００６】
本発明は、床下点検口に用いられる施錠部材が、一般的に、誰でも簡単に床下点検口を開けて勝手に出入りするのを防止する一方、点検などのために床下点検口を開ける際は各作業者が同時にそれぞれの担当する床下点検口を開けることができるように、共通の鍵が用いられていることに着目して発明されたものである。
【０００７】
従って、本発明の目的は、鍵の紛失や鍵穴への塵埃などの侵入を効果的に回避できる鍵穴構造を提供することにある。
【課題を解決するための手段】
【０００８】
本発明による床下点検口の鍵穴構造は、床下点検口の蓋に設けられる施錠部材と、この施錠部材を鎖錠、解錠するための鍵部材とから構成される。施錠部材は、その内部に内ネジを有し、一端を床下点検口の蓋の蓋板に固着された筒状の筒体と、筒体の内ネジに螺合して筒体内を軸方向へ移動可能な塞ぎネジとから構成される。鍵部材は、その一端の外周面に筒体の内ネジに螺合する外ネジを有する棒状の作動桿と、作動桿の他端に設けられた取っ手とから構成される。施錠部材の塞ぎネジの筒体の開放端側に位置する端面および鍵部材の作動桿の前記一端の端面の一方には、所定の形状に形成された凹状嵌合部が設けられ、他方の端面には、凸状嵌合部と係脱自在に嵌合するように形成された凸状嵌合部が設けられる。
【０００９】
本発明による床下点検口の鍵穴構造はまた、施錠部材の筒体を床下点検口の蓋に固着するための固定ネジを有することもできる。この固定ネジは、筒体との間に蓋の蓋板を挟持して筒体を固着するように、筒体の蓋板固着端側の内部に形成された大径内ネジに螺着される。固定ネジの軸径は塞ぎネジの軸径より大きく形成されるのが好ましく、より好ましくは、塞ぎネジの頭の直径よりも大きくなるように形成される。
【発明の効果】
【００１０】
上述の如く構成される本発明の床下点検口の鍵穴構造は、鎖錠状態では、塞ぎネジが筒体の開放端側に位置されており、それにより、筒体内に塵埃等が入り込むのを防止する。解錠は、鍵部材の作動桿の先端に設けられた凹状または凸状嵌合部を、施錠部材の塞ぎネジに設けられた凸状または凹状嵌合部に嵌め合わせたのち、作動桿を回動させて鍵部材の作動桿の外ネジを筒体の内ネジに螺合する。この作動桿の回転により、塞ぎネジが筒体の内方に移動すると共に、作動桿の外ネジと筒体の内ネジが螺合して鍵部材と施錠部材とを相互に緊密に結合する。この状態で鍵部材の取っ手を握持して引き上げることにより床下点検口の蓋を簡単に開けることができる。
【００１１】
床下点検口の蓋を閉じるときは、鍵部材の取っ手を握持して床下点検口の蓋を元の位置に戻し、作動桿の外ネジと筒体の内ネジの螺合が解除されるまで鍵部材を回動することにより、塞ぎネジは筒体の開放端側に移動して筒体を封鎖することができると共に、作動桿と塞ぎネジとに設けられた凸状および凹状嵌合部間の嵌合を解除することができ、かつ、鍵部材を床下点検口の蓋の移動用として用いているため、鍵の紛失を生じる虞を回避することができる。
【図面の簡単な説明】
【００１２】
【図１】図１は、本発明の実施例による床下点検口の鍵穴構造の分解状態における斜視図である。
【図２】図２は、図１に示す床下点検口の鍵穴構造の一部断面分解図である。
【図３】図３は、図２に示す床下点検口の鍵穴構造の作動状態を説明するための部分断面分解図である。
【図４】図４は、本発明の別の実施例による床下点検口の鍵穴構造を示す図２と同様な図である。
【図５】図５は、図４に示す床下点検口の鍵穴構造の作動状態を説明するための図３と同様な図である。
【発明を実施するための形態】
【００１３】
本発明による実施の形態について、以下、図面を参照して説明する。
【実施例１】
【００１４】
本発明の実施例による床下点検口の鍵穴構造は、図１および２に示すように、床下点検口の蓋に設けられる施錠部材１と、施錠部材１を鎖錠、解錠するための鍵部材２とから構成される。
【００１５】
施錠部材１は、その内部に内ネジ１０１（図２参照）を有し、床下点検口の蓋の蓋板３（図２参照）に溶接等の結合手段４によりその一端を固着された筒状の筒体１０と、筒体１０の内ネジ１０１に螺合して筒体１０内を軸方向へ移動可能な塞ぎネジ１１とから構成される。鍵部材２は、その一端の外周面に、筒体１０の内ネジ１０１に螺合するように形成された外ネジ２０１を有する棒状の作動桿２０と、作動桿２０の他端に設けられた取っ手２１とから構成される。
【００１６】
施錠部材１の塞ぎネジ１１は、ネジ先（筒体１０の開放端側に位置する端面）に、所定の形状に形成された凹状または凸状嵌合部（図示の場合、凹状嵌合部１０２）が設けられる。鍵部材２の作動桿２０は、外ネジ２０１を設けられた側の端面に、塞ぎネジ１１の凹状または凸状嵌合部（１０２）と係脱自在に嵌合するように相補的形状に形成された凸状または凹状嵌合部（図示の場合、凸状嵌合部２０２）が設けられる。筒体１０の内ネジ１０１の軸方向長さは、塞ぎネジ１１と作動桿２０の外ネジ２０１とが軸方向に並んで内ネジ１０１に同時に螺合できるように寸法付られる。
【００１７】
上述の如く構成される本発明の床下点検口の鍵穴構造は、図３の（Ａ）に示すように、塞ぎネジ１１が筒体１０の内ネジ１０１の上端位置にあるときが鎖錠時の状態であり、筒体１０内への塵埃などの侵入を阻止する一方、図３の（Ｃ）に示すように、塞ぎネジ１１が筒体１０の内ネジ１０１の下端位置にあるときが解錠時の状態である。なお、参照符号３１で示すものは、モルタルで固着されたタイルや長尺塩ビシートなどのような床下点検口の蓋の仕上材である。
【００１８】
解錠は、鍵部材２の作動桿２０の自由端に設けられた凸状嵌合部２０２を施錠部材１の塞ぎネジ１１の凹状嵌合部１０２に嵌合させて（図３の（Ａ）参照）、塞ぎネジ１１を下方へねじ入れるように鍵部材２の取っ手２１を回すことにより、相互に嵌合した凸状嵌合部２０２および凹状嵌合部１０２を介して塞ぎネジ１１もまた回されて下方へ移動すると共に、作動桿２０の外ネジ２０１が筒体１０の内ネジ１０１に螺合することがてきる（図３の（Ｂ）参照）。塞ぎネジ１１が下端まで移動されたのち、或いは、作動桿２０の外ネジ２０１と筒体１０の内ネジ１０１との螺合が十分に行われたのち、取っ手２１を持ち上げることによって床下点検口から蓋が取り外される（図３の（Ｃ）参照）。床下点検口を開いて作業している間、特に必要がなければ、鍵部材２は施錠部材１に螺合させたままで行われるため、作業中に鍵部材２を紛失してしまうことはない。
【００１９】
鎖錠は、上述の解錠における手順と逆に、取っ手２１を持って蓋を持ち上げて、床下点検口を閉鎖する位置に置いたのち、作動桿２０の外ネジ２０１を筒体１０の内ネジ１０１から取り出す方向へ取っ手２１を回すことにより、鍵部材２を施錠部材１から取り外すことができる。施錠部材１と鍵部材２との間の結合は、作動桿２０の外ネジ２０１と筒体１０の内ネジ１０１との螺合が解放されたときに初めて分離され、そのとき、塞ぎネジ１１は内ネジ１０１の上端位置である鎖錠時の位置に残置される。
【００２０】
ここにおいて、作動桿２０の外ネジ２０１と筒体１０の内ネジ１０１のネジ径は、市販品として一般的に使用される第１選択の呼び径ではなく、例えば、Ｍ９、Ｍ１１、Ｍ１５などのような第３選択の特注の呼び径のものを用いるのが好ましく、これにより、第三者が勝手に床下点検口を開けてしまうのを回避することができる。
【実施例２】
【００２１】
図４および５は、本発明の別の実施例による床下点検口の鍵穴構造を示す、図２および３と同様な図で、図中、前記実施例１と同様な構成要素に対して同様な参照符号が付されている。本実施例における床下点検口の鍵穴構造は、実施例１と比較して、施錠部材１が筒体１０と、筒体１０の内部に螺合される塞ぎネジ１１と、筒体１０を床下点検口の蓋の蓋板３に固着するための固定ネジ１２とから構成される点を除き、実施例１と同様に構成される。
【００２２】
塞ぎネジ１１および固定ネジ１２は、頭部１１１および１２１と軸部１１２および１２２をそれぞれ有する雄ネジが用いられる。固定ネジ１２の軸部１２２の直径は、塞ぎネジ１１の頭部１１１の直径よりも小さくなるように選定される。一方、施錠部材１の筒体１０の内部には、塞ぎネジ１１と螺合するための小寸内ネジ１０１ａと、固定ネジ１２と螺合するための大寸内ネジ１０１ｂとが同一軸線上となるように形成される。小寸内ネジ１０１ａの軸方向長さは、塞ぎネジ１１が完全に螺合したとき、塞ぎネジ１１のネジ先が小寸内ネジ１０１ａの上端に位置し、かつ、作動桿２０の外ネジ２０１との螺合が確実に行われたとき、塞ぎネジ１１との螺合が解除されてしまうことのないように寸法付られる。一方、大寸内ネジ１０１ｂの軸方向長さは、小寸内ネジ１０１ａと作動桿２０の外ネジ２０１との螺合が確実に行われたとき、筒体１０を蓋板３に固着した固定ネジ１２のネジ先が、塞ぎネジ１１の内方への更なる移動を阻止するように寸法付られる。
【００２３】
上述の如く構成される本実施例の床下点検口の鍵穴構造は、塞ぎネジ１１を筒体１０の小寸内ネジ１０１ａに螺合（好ましくは、完全に螺合）したのち、蓋板３に予め形成された開口３２を通して固定ネジ１２を大寸内ネジ１０１ｂに螺合することにより床下点検口の蓋に設置される。
【００２４】
解錠および鎖錠の操作は、図５に示すように、実施例１と同様に行われるが、解錠時、塞ぎネジ１１の移動が固定ネジ１２によって停止されるまで取っ手２１を回すことにより、筒体１０と作動桿２０との連結が確実に行われ、鎖錠時、塞ぎネジ１１の移動が小寸内ネジ１０１ａと大寸内ネジ１０１ｂとの移行部１０１ｃによって停止されるまで取っ手２１を回すことにより、塞ぎネジ１１を所定の鎖錠位置に移動させるだけでなく、塞ぎネジ１１が筒体１０から抜け出してしまうのを確実に防止できる。
【００２５】
ここにおいて、前述の実施例１における塞ぎネジ１１は、頭部のないイモネジまたは止めネジの形態で示して説明されたが、上述の説明から明らかなように、実施例２の塞ぎネジと同様に、頭部および軸部を有する雄ネジ形態のネジを使用し、筒体１０の内部に塞ぎネジ１１と螺合するための内ネジ１０１と塞ぎネジ１１の頭部が移動するための空間とを形成することにより、実施例２と同様に、筒体１０と作動桿２０との連結並びに塞ぎネジ１１の筒体１０からの抜け出し防止を確実に遂行できることに留意されたい。
【符号の説明】
【００２６】
１    施錠部材
２    鍵部材
３    蓋板
４    結合手段
１０    筒体
１０１    内ネジ
１０１ａ  小寸内ネジ
１０１ｂ  大寸内ネジ
１０２    凹状（または凸状）嵌合部
１１    塞ぎネジ
１２    固定ネジ
１１１，１２１    頭部
１１２，１２２    軸部
２０    作動桿
２０１    外ネジ
２０２    凸状（または凹状）嵌合部
２１    取っ手
３１    仕上材
３２    開口
【図１】
2015151740.tif 000003
【図２】
2015151740.tif 000004
【図３】
2015151740.tif 000005
【図４】
2015151740.tif 000006
【図５】
2015151740.tif 000007